(57)【要約】【課題】空気調和機の運転と同時に室内空気の換気を行なえる外気導入装置を備えた空気調和機を提供する。【解決手段】壁面Ｂに壁孔Ｃを、据付板２に壁孔Ｃに対応する連通孔２ａを、ベース６の背面に連通孔２ａに対応する吸気孔６ａを夫々設け、前記連通孔２ａの周縁に、前記壁孔Ｃを挿通するダクト１４の一端に設けられたダクトフランジ１５を取り付けると共に、据付板２および前記ベース６の間に、前記連通孔２ａおよび前記吸気孔６ａを連通した状態でシールするシール部材１６を、前記ダクト１４の他端に開口面積を拡開させる拡開部１７を備えたノズル１８を、同ノズル１８の開口部に集塵用のフィルタ１９を夫々設け、前記吸気孔６ａと前記後部熱交換器１１との間に、前記ノズル１８および前記ダクト１４により導入された外気を前記後部熱交換器１１へ導くディフューザ２３を設けた。【選択図】  図１
2004257635.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通するダクトの一端に設けられたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを、同ノズルの開口部に集塵用のフィルタを夫々設け、前記吸気孔と前記後部熱交換器との間に、前記ノズルおよび前記ダクトにより導入された外気を前記後部熱交換器へ導くディフューザを設けてなることを特徴とする空気調和機。
【請求項２】
前記ノズルの拡開部が中空の多角錐台状に形成され、前記ダクトとの接続部分は同ダクトと同一形状に形成されてなることを特徴とする請求項１に記載の空気調和機。
【請求項３】
前記ノズルの拡開部が中空の円錐台状に形成され、前記ダクトとの接続部分は同ダクトと同一形状に形成されてなることを特徴とする請求項１に記載の空気調和機。
【請求項４】
前記ノズルの拡開部が、中空の円錐台および多角錐台を組み合わせた形状に形成されてなることを特徴とする請求項１に記載の空気調和機。
【請求項５】
中空の多角錐台状に形成された前記拡開部が、流線形状に形成されてなることを特徴とする請求項１乃至請求項４の何れかに記載の空気調和機。
【請求項６】
前記ノズルの拡開部は、拡開された一端の開口面積が他端の開口面積の２倍以上に形成されてなることを特徴とする請求項１乃至請求項５の何れかに記載の空気調和機。
【請求項７】
前記フィルタが枠部および網部からなり、同網部の面積が、前記ノズルの他端の開口面積よりも大きくなるように形成されてなることを特徴とする請求項１または請求項６に記載の空気調和機。
【発明の詳細な説明】
【０００１】
【発明の属する技術分野】
本発明は、空気調和機に係わり、より詳細には、空気調和機の運転と同時に室内空気の換気を行なえる外気導入装置を備えた構造に関する。
【０００２】
【従来の技術】
従来の外気導入装置を備えた空気調和機には、作業性が良好なダクトの取付構造によって熱交換器の風上側に外気を導入できるものとして、被空調室の壁面に壁孔を設け、据付板に前記壁孔に対応する連通孔を設け、後部熱交換器の風上側となるベースの背面に、前記連通孔に対応する吸気孔を設け、ねじ孔を備えた前記連通孔の周縁に、前記壁孔を挿通するダクトの１端に設けられたダクトフランジを取り付けると共に、前記据付板および前記ベースの間に、前記連通孔および前記吸気孔を連通した状態でシールするシール部材を介装したものがあった（例えば、特許文献１参照。）。
【０００３】
しかしながら、上記構成でなる空気調和機は、外気を導入するダクトの開口端にフィルタを直付けしており、また、外気を導入するに当って送風ファンの負圧を利用した構成であることから、前記フィルタの抵抗により空気抵抗が増して外気の吸込量に影響を与えてしまったり、また、送風ファンの負圧を利用しているため外気の吸込量が減少してしまう恐れがあった。
【０００４】
【特許文献１】
特開２００３−２１３５８号公報（第３頁、第４図）
【０００５】
【発明が解決しようとする課題】
本発明においては、上記の問題点に鑑み、空気調和機の運転と同時に室内空気の換気を行なえる外気導入装置を備えた空気調和機を提供することを目的とする。
【０００６】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通するダクトの一端に設けられたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを、同ノズルの開口部に集塵用のフィルタを夫々設け、前記吸気孔と前記後部熱交換器との間に、前記ノズルおよび前記ダクトにより導入された外気を前記後部熱交換器へ導くディフューザを設けてなる構成となっている。
【０００７】
また、前記ノズルの拡開部が中空の多角錐台状に形成され、前記ダクトとの接続部分は同ダクトと同一形状に形成されてなる構成となっている。
【０００８】
また、前記ノズルの拡開部が中空の円錐台状に形成され、前記ダクトとの接続部分は同ダクトと同一形状に形成されてなる構成となっている。
【０００９】
また、前記ノズルの拡開部が、中空の円錐台および多角錐台を組み合わせた形状に形成されてなる構成となっている。
【００１０】
また、中空の多角錐台状に形成された前記拡開部が、流線形状に形成されてなる構成となっている。
【００１１】
また、前記ノズルの拡開部は、拡開された一端の開口面積が他端の開口面積の２倍以上に形成されてなる構成となっている。
【００１２】
更に、前記フィルタが枠部および網部からなり、同網部の面積が、前記ノズルの他端の開口面積よりも大きくなるように形成されてなる構成となっている。
【００１３】
【発明の実施の形態】
以下、本発明の実施の形態を図面に基づいた実施例として詳細に説明する。
図１は本発明による空気調和機の説明図で、（Ａ）は断面図、（Ｂ）は要部拡大断面図であり、図２は図１（Ａ）で示す（Ｃ）部の説明図で、（Ａ１）は第一例におけるノズル他側の断面図、（Ａ２）はノズルの正面図、（Ａ３）はノズル一側の断面図であり、（Ｂ１）は第二例におけるノズル他側の断面図、（Ｂ２）はノズルの正面図、（Ｂ３）はノズル一側の断面図であり、（Ｃ１）は第三例におけるノズル他側の断面図、（Ｃ２）はノズルの正面図、（Ｃ３）はノズル一側の断面図であり、（Ｄ１）は第四例におけるノズル他側の断面図、（Ｄ２）はノズルの正面図、（Ｄ３）はノズル一側の断面図であり、図３は本発明による空気調和機の要部説明図で、（Ａ）および（Ｂ）はノズルの斜視図、（Ｃ）はノズルの一端からフィルタを取り外した（Ａ）および（Ｂ）の矢印Ｄで示す矢視図、（Ｄ）はフィルタを取り付けた矢視図である。
【００１４】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１５】
前記本体Ａは、背面上部に前記据付板２の係止爪１に係脱可能に係止される係止部３を備え、背面下部には接続配管４を収容する収容部５を備えたベース６と、同ベース６の前部に装着され、上下部に吸込口７と吹出口８とを備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００１６】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通するダクト１４の一端に設けられたダクトフランジがねじ締めされて取り付けられている。
【００１７】
同時に、前記据付板２および前記ベース６の間には、前記連通孔２ａおよび前記吸気孔６ａを連通した状態でシールするシール部材１６が介装されるように構成されている。
【００１８】
また、前記ダクト１４の他端には、開口面積を拡開させる拡開部１７を備えたノズル１８が設けられ、同ノズル１８の開口部には集塵用のフィルタ１９が設けられ、前記吸気孔６ａと前記後部熱交換器１１との間には、一端が前記吸気孔６ａに接続される接続口２０からなり、他端が同接続口２０よりも大径で形成された連通口２１からなり、同連通口２１に前記後部熱交換器１１の冷媒管１１ａ  を挟持する挟持部２２を一体に形成したディフューザ２３が設けられた構成になっている。
【００１９】
これにより、前記ノズル１８から外気を導入する際、同ノズル１８の開口部に前記フィルタ１９が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００２０】
また、前記ノズル１８が前記拡開部１７を備えることによって開口面積が拡開されたことにより、該箇所に図示しない補助ファンを取り付けやすくした構造になっているので、前記送風ファン１３による外気導入のための負圧が不足している場合には補助ファンを容易に取付できるので便利である。
【００２１】
以上の構成により、次にその動作について説明する。
図１（Ａ）および図１（Ｂ）で示すように、前記ノズル１８から導入された外気は、前記連通孔２ａおよび前記吸気孔６ａを通した前記ダクト１４を経て前記ディフューザ２３に導かれる。
【００２２】
前記ディフューザ２３は、前記後部熱交換器１１を臨ませた前方のみ開放された構成になっているので、同後部熱交換器１１に向け外気を効率よく導出させて熱交換できる。
【００２３】
なお、前記ノズル１８の拡開部１７は、拡開された一端の開口面積が他端の開口面積の２倍以上になるように種々の形状で形成されることによって、外気の吸込量を減少させないように効率よく導入できるようになっている。
【００２４】
すなわち、例えば第一例として図２（Ａ１）乃至図２（Ａ３）で示すように、前記ノズル１８は、前記拡開部１７が中空の多角錐台状に形成され、前記ダクト１４との接続部分は同ダクト１４と同一形状に形成された構成になっている。
【００２５】
または、第二例として図２（Ｂ１）乃至図２（Ｂ３）で示すように、前記ノズル１８は前記拡開部１７が中空の円錐台状に形成され、前記ダクト１４との接続部分は同ダクト１４と同一形状に形成された構成になっている。
【００２６】
この場合、前記拡開部１７に図示しない補助ファンを取り付けた場合、同補助ファンの外周部と前記ノズル１８の内周面とに均等な隙間をもたせて取付できるようになり、これによって外気を効率よく導入できると共に、補助ファンの回転に伴う騒音を抑えることができることになる。
【００２７】
もしくは、図２（Ｂ２）および図２（Ｂ３）で示す破線のように、前記拡開部１７が中空の円錐台状部に多角錐台状部を組み合わせた形状で形成されるように構成してもよい。
【００２８】
また、図２（Ｃ１）乃至図２（Ｃ３）で示すように、前記拡開部１７が中空の多角錐台から円錐台を抜いた形状で形成されるように構成してもよい。
【００２９】
または、第三例として図２（Ｄ１）乃至図２（Ｄ３）のａ部で示すように、中空の多角錐台状に形成された前記拡開部１７が流線形状で形成されることにより、該箇所を流通する空気流の摩擦損失を減少させることができて、外気を更に効率よく導入できるようになる。
【００３０】
なお、前記フィルタ１９が枠部２４および網部２５からなり、同網部２５の面積が、前記ダクト１４と同じ前記ノズル１８の他端の開口面積よりも大きくなるように形成されているので、外気の吸込量を減少させないように効率よく導入できるようになっている。
【００３１】
【発明の効果】
以上説明したように、本発明によれば、空気調和機の運転と同時に室内空気の換気を行なえる外気導入装置を備えた空気調和機となる。
【図面の簡単な説明】
【図１】本発明による空気調和機の説明図で、（Ａ）は断面図であり、（Ｂ）は要部拡大断面である。
【図２】図１（Ａ）で示す（Ｃ）部の説明図で、（Ａ１）は第一例におけるノズル他側の断面図、（Ａ２）はノズルの正面図、（Ａ３）はノズル一側の断面図であり、（Ｂ１）は第二例におけるノズル他側の断面図、（Ｂ２）はノズルの正面図、（Ｂ３）はノズル一側の断面図であり、（Ｃ１）は第三例におけるノズル他側の断面図、（Ｃ２）はノズルの正面図、（Ｃ３）はノズル一側の断面図であり、（Ｄ１）は第四例におけるノズル他側の断面図、（Ｄ２）はノズルの正面図、（Ｄ３）はノズル一側の断面図である。
【図３】本発明による空気調和機の要部説明図で、（Ａ）および（Ｂ）はノズルの斜視図であり、（Ｃ）はノズルの一端からフィルタを取り外した（Ａ）および（Ｂ）の矢印Ｄで示す矢視図であり、（Ｄ）はフィルタを取り付けた矢視図である。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  冷媒管
１２  熱交換器
１３  送風ファン
１４  ダクト
１５  ダクトフランジ
１６  シール部材
１７  拡開部
１８  ノズル
１９  フィルタ
２０  接続口
２１  連通口
２２  挟持部
２３  ディフューザ
２４  枠部
２５  網部
Ａ  本体
Ｂ  壁面
Ｃ  壁孔
【図１】
2004257635.tif 000003
【図２】
2004257635.tif 000004
【図３】
2004257635.tif 000005